(57)【特許請求の範囲】
【請求項１】
浴槽水の排出時、自動的に開栓させる排水栓を排水口に備え、前記浴槽水を自動排出可能な浴槽に給湯可能であり、熱交換によって生じたドレンを少なくとも前記浴槽を通して排出する熱源装置であって、
前記ドレンが溜められるドレンタンクと、
前記ドレンの排出時に前記ドレンを前記ドレンタンクから前記浴槽に流し込むドレン流路と、
を備え、前記排水栓の開栓時、前記ドレンタンクから前記ドレン流路を通して前記浴槽に前記ドレンを流し込み、前記浴槽水の排水とともに前記ドレンを排出させ、前記ドレンの排出後、上水の供給を開始し、前記ドレン流路に所定時間または所定量の上水を供給すると、前記排水栓を閉じて上水の供給を継続し、前記浴槽に所定量の上水を供給した後に前記排水栓を開栓して排水させることを特徴とする熱源装置。
【請求項２】
前記排水栓の開栓時、前記ドレンを排水中の前記浴槽に流し込み、前記浴槽水とともに前記ドレンを排出させる、
ことを特徴とする請求項１に記載の熱源装置。
【請求項３】
前記排水栓の開栓時、前記浴槽水の排水後の前記浴槽に前記ドレンを流し込んで排出させる、
ことを特徴とする請求項１に記載の熱源装置。
【請求項４】
さらに、前記ドレン流路に上水路を接続し、この上水路から供給される上水により前記ドレン流路を洗浄する、
ことを特徴とする請求項１ないし請求項３のいずれかの請求項に記載の熱源装置。
【請求項５】
さらに、前記ドレンタンクまたは前記ドレン流路に備えられ、ドレン排出時、開弁させる弁と、
前記排水栓の開閉に応じて前記弁の開閉を制御する制御部と、
を備えることを特徴とする請求項１ないし請求項４のいずれかの請求項に記載の熱源装置。
【請求項６】
熱交換によって熱源装置に生じたドレンを浴槽より排出するドレン排出システムであって、
浴槽水の排出時、自動的に開栓させる排水栓を排水口に備え、前記浴槽水を自動排出可能な浴槽と、
前記ドレンが溜められるドレンタンクと、
前記ドレンの排出時に前記ドレンを前記ドレンタンクから前記浴槽に流し込むドレン流路と、
を備え、前記排水栓の開栓時、前記ドレンタンクから前記ドレン流路を通して前記浴槽に前記ドレンを流し込み、前記浴槽水の排水とともに前記ドレンを排出させ、前記ドレンの排出後、上水の供給を開始し、前記ドレン流路に所定時間または所定量の上水を供給すると、前記排水栓を閉じて上水の供給を継続し、前記浴槽に所定量の上水を供給した後に前記排水栓を開栓して排水させることを特徴とするドレン排出システム。
【請求項７】
前記排水栓の開栓時、前記ドレンを排水中の前記浴槽に流し込み、前記浴槽水とともに前記ドレンを排出させる、
ことを特徴とする請求項６に記載のドレン排出システム。
【請求項８】
前記排水栓の開栓時、前記浴槽水の排水後の前記浴槽に前記ドレンを流し込んで排出させる、
ことを特徴とする請求項６に記載のドレン排出システム。
【請求項９】
熱交換によって生じたドレンを浴槽より排出する熱源装置を制御するコンピュータに実行させるためのドレン排出プログラムであって、
浴槽水の排出時、排水栓を排水口に備える排水栓を開弁させる機能と、
前記ドレンタンクまたは前記ドレン流路に備えられた弁を、ドレン排出時、開弁させる機能と、
前記排水栓の開栓時、前記ドレンタンクから前記ドレン流路を通して前記浴槽に前記ドレンを流し込み、前記浴槽水の排水とともに前記ドレンを排出させ、前記ドレンの排出後、上水の供給を開始し、前記ドレン流路に所定時間または所定量の上水を供給させると、前記排水栓を閉じて上水の供給を継続し、前記浴槽に所定量の上水を供給した後に前記排水栓を開栓して排水させる機能と、
を上記コンピュータで実現するためのドレン排出プログラム。
【請求項１０】
熱交換によって生じたドレンを浴槽より排出する熱源装置のドレン排出方法であって、
浴槽水の排出時、排水口に備える排水栓を自動的に開弁させる工程と、
前記ドレンタンクまたは前記ドレン流路に備えられた弁を、ドレン排出時、開弁させる工程と、
を含み、前記排水栓の開栓時、前記ドレンタンクから前記ドレン流路を通して前記浴槽に前記ドレンを流し込み、前記浴槽水の排水とともに前記ドレンを排出させ、前記ドレンの排出後、上水の供給を開始し、前記ドレン流路に所定時間または所定量の上水を供給すると、前記排水栓を閉じて上水の供給を継続し、前記浴槽に所定量の上水を供給した後に前記排水栓を開栓して排水させることを特徴とするドレン排出方法。
【請求項１１】
前記排水栓の開栓時、前記ドレンを排水中の前記浴槽に流し込み、前記浴槽水とともに前記ドレンを排出させる、
ことを特徴とする請求項１０に記載のドレン排出方法。
【請求項１２】
前記排水栓の開栓時、前記浴槽水の排水後の前記浴槽に前記ドレンを流し込んで排出させる、
ことを特徴とする請求項１０に記載のドレン排出方法。
【請求項１３】
さらに、前記ドレン流路に上水路を接続し、この上水路から供給される上水により前記ドレン流路を洗浄する工程と、
を含むことを特徴とする請求項１０ないし請求項１２のいずれかの請求項に記載のドレン排出方法。
【発明の詳細な説明】
【技術分野】
【０００１】
本発明は、給湯機などの熱源機に熱交換で生じるドレン排出技術に関する。
【背景技術】
【０００２】
給湯機などの熱源機ではたとえば、燃料ガスの燃焼熱と水とを熱交換する際、多量のドレンが生じる。燃焼排気中の潜熱を回収するコンデンシング機器ではドレン発生が顕著である。ドレンは、強酸性であるため、一般的に中和処理して排水される。
【０００３】
このドレン処理に関し、ドレンタンクに溜められたドレンは、ドレンタンクの満水時など、排出タイミングの到来により、熱源機の追焚管路よりドレンパンに放流することが知られている（特許文献１、特許文献２）。
【先行技術文献】
【特許文献】
【０００４】
【特許文献１】特開２００９−２７０７９８号公報
【特許文献２】特開２０１１−００７４４０号公報
【発明の概要】
【発明が解決しようとする課題】
【０００５】
浴槽水の排水エリアであるドレンパンにドレンを排出させるには、既設の追焚管路を利用でき、浴槽水の排水エリアを兼用できるので、管路の簡略化や別個にドレン排出設備を設置する必要がないなど、利便性に優れる。このドレンパンに代え、ドレンタンクからドレン排水管路を通して外部に排出することが可能であるが、ドレンの発生量は多い場合、地上排水には適さない。
【０００６】
ところで、浴槽には電気的に開閉される排水栓を備え、湯張りや浴槽排水を自動的に行える自動化浴槽が実用化されている。
【０００７】
そこで、本発明の目的は、上記課題に鑑み、熱源機の熱交換で生じるドレンの排出の自動化を図ることにある。
【課題を解決するための手段】
【０００８】
上記目的を達成するため、本発明の熱源装置の一側面によれば、浴槽水の排出時、自動的に開栓させる排水栓を排水口に備え、前記浴槽水を自動排出可能な浴槽に給湯可能であり、熱交換によって生じたドレンを少なくとも前記浴槽を通して排出する熱源装置であって、前記ドレンが溜められるドレンタンクと、前記ドレンの排出時に前記ドレンを前記ドレンタンクから前記浴槽に流し込むドレン流路とを備え、前記排水栓の開栓時、前記ドレンタンクから前記ドレン流路を通して前記浴槽に前記ドレンを流し込み、前記浴槽水の排水とともに前記ドレンを排出させ、前記ドレンの排出後、上水の供給を開始し、前記ドレン流路に所定時間または所定量の上水を供給すると、前記排水栓を閉じて上水の供給を継続し、前記浴槽に所定量の上水を供給した後に前記排水栓を開栓して排水させる。
【０００９】
上記熱源装置において、前記排水栓の開栓時、前記ドレンを排水中の前記浴槽に流し込み、前記浴槽水とともに前記ドレンを排出させてよい。
【００１０】
上記熱源装置において、前記排水栓の開栓時、前記浴槽水の排水後の前記浴槽に前記ドレンを流し込んで排出させてよい。
【００１１】
上記熱源装置において、さらに、前記ドレン流路に上水路を接続し、この上水路から供給される上水により前記ドレン流路を洗浄してもよい。
【００１３】
上記熱源装置において、さらに、前記ドレンタンクまたは前記ドレン流路に備えられ、ドレン排出時、開弁させる弁と、前記排水栓の開閉に応じて前記弁の開閉を制御する制御部とを備えてもよい。
【００１４】
上記目的を達成するため、本発明のドレン排出システムの一側面によれば、熱交換によって熱源装置に生じたドレンを浴槽より排出するドレン排出システムであって、浴槽水の排出時、自動的に開栓させる排水栓を排水口に備え、前記浴槽水を自動排出可能な浴槽と、前記ドレンが溜められるドレンタンクと、前記ドレンの排出時に前記ドレンを前記ドレンタンクから前記浴槽に流し込むドレン流路とを備え、前記排水栓の開栓時、前記ドレンタンクから前記ドレン流路を通して前記浴槽に前記ドレンを流し込み、前記浴槽水の排水とともに前記ドレンを排出させ、前記ドレンの排出後、上水の供給を開始し、前記ドレン流路に所定時間または所定量の上水を供給すると、前記排水栓を閉じて上水の供給を継続し、前記浴槽に所定量の上水を供給した後に前記排水栓を開栓して排水させる。
【００１５】
上記ドレン排出システムにおいて、前記排水栓の開栓時、前記ドレンを排水中の前記浴槽に流し込み、前記浴槽水とともに前記ドレンを排出させてよい。
【００１６】
上記ドレン排出システムにおいて、前記排水栓の開栓時、前記浴槽水の排水後の前記浴槽に前記ドレンを流し込んで排出させてよい。
【００１７】
上記目的を達成するため、本発明のドレン排出プログラムの一側面によれば、熱交換によって生じたドレンを浴槽より排出する熱源装置を制御するコンピュータに実行させるためのドレン排出プログラムであって、浴槽水の排出時、排水栓を排水口に備える排水栓を開弁させる機能と、前記ドレンタンクまたは前記ドレン流路に備えられた弁を、ドレン排出時、開弁させる機能と、前記排水栓の開栓時、前記ドレンタンクから前記ドレン流路を通して前記浴槽に前記ドレンを流し込み、前記浴槽水の排水とともに前記ドレンを排出させ、前記ドレンの排出後、上水の供給を開始し、前記ドレン流路に所定時間または所定量の上水を供給させると、前記排水栓を閉じて上水の供給を継続し、前記浴槽に所定量の上水を供給した後に前記排水栓を開栓して排水させる機能とを上記コンピュータで実現する。
【００１８】
上記目的を達成するため、本発明のドレン排出方法の一側面によれば、熱交換によって生じたドレンを浴槽より排出する熱源装置のドレン排出方法であって、浴槽水の排出時、排水口に備える排水栓を自動的に開弁させる工程と、前記ドレンタンクまたは前記ドレン流路に備えられた弁を、ドレン排出時、開弁させる工程とを含み、前記排水栓の開栓時、前記ドレンタンクから前記ドレン流路を通して前記浴槽に前記ドレンを流し込み、前記浴槽水の排水とともに前記ドレンを排出させ、前記ドレンの排出後、上水の供給を開始し、前記ドレン流路に所定時間または所定量の上水を供給すると、前記排水栓を閉じて上水の供給を継続し、前記浴槽に所定量の上水を供給した後に前記排水栓を開栓して排水させる。
【００１９】
上記ドレン排出方法において、前記排水栓の開栓時、前記ドレンを排水中の前記浴槽に流し込み、前記浴槽水とともに前記ドレンを排出させてよい。
【００２０】
上記ドレン排出方法において、前記排水栓の開栓時、前記浴槽水の排水後の前記浴槽に前記ドレンを流し込んで排出させてよい。
【００２１】
上記ドレン排出方法において、さらに、前記ドレン流路に上水路を接続し、この上水路から供給される上水により前記ドレン流路を洗浄する工程とを含んでもよい。
【発明の効果】
【００２３】
本発明によれば、次のいずれかの効果が得られる。
【００２４】
(1) 浴槽水の自動排水に連動して浴槽水とともにドレンを浴槽より排出でき、ドレンの自動排出を実現できる。
【００２５】
(2) 熱交換で生じたドレンをドレンタンクに溜め、このドレンタンクからドレン流路でドレンを浴槽に導き、浴槽から排出させるので、ドレン排出管路を簡略化できる。
【００２６】
(3) ドレンを浴槽に導くドレン流路に追焚管路を利用でき、ドレン排出管路を簡略化できる。
【００２７】
(4) ドレン排出を浴槽排水に連動させ、ドレン排出タイミングを浴槽排水と別個に行う場合に比較し、ドレン排出処理を簡略化できる。
【図面の簡単な説明】
【００２８】
【図１】第一の実施の形態に係るドレン排出システムの一例を示す図である。
【図２】ドレン自動排出の処理手順を示すフローチャートである。
【図３】ドレン自動排出の処理手順を示すフローチャートである。
【図４】第二の実施の形態に係るドレン自動排出の処理手順を示すフローチャートである。
【図５】ドレン自動排出の処理手順を示すフローチャートである。
【図６】実施例に係るドレン排出システムを示す図である。
【図７】ドレン排出システムの制御系統を示す図である。
【図８】ドレン自動排出の処理手順を示すフローチャートである。
【発明を実施するための形態】
【００２９】
〔第一の実施の形態〕
【００３０】
図１は、第一の実施の形態に係るドレン排出システムを示している。図１に示す構成は一例であり、係る構成に本発明が限定されるものではない。
【００３１】
このドレン排出システム２−１は本発明の熱源装置およびドレン排出システムの一例である。このドレン排出システム２−１には一例として浴槽４および熱源機６が備えられる。
【００３２】
浴槽４にはいわゆる自動浴槽であり、排水口８に自動開栓が可能な排水栓１０が備えられる。この排水栓１０は、浴槽水ＢＷの排出時、自動的に開栓され、浴槽水ＢＷの自動排出が可能である。この例では、排水栓１０が熱源機６に備えられる制御部１２によって制御され、浴槽水ＢＷの排出時に開栓される。
【００３３】
熱源機６は、既述の熱源装置の一例である。この熱源機６は、浴槽４に対し給湯する給湯機能や、浴槽水ＢＷを再可熱する追焚機能が可能であり、熱交換器１４の熱交換によって生じたドレンＤを浴槽水ＢＷの排出時、浴槽４を通して排出させるドレン排出機能を備える。熱交換器１４の下側にはドレン受け１６が設置され、このドレン受け１６で受けたドレンＤはドレン受け１６からドレンパイプ１８でドレンタンク２０に導かれ、ドレンタンク２０に溜められる。
【００３４】
ドレンタンク２０と浴槽４の間にはドレン流路２２が備えられ、ドレンＤの排出時、ドレン流路２２を通してドレンタンク２０から浴槽４にドレンＤが排出される。この例では、ドレン流路２２には、ドレンタンク側管路２２−１と循環路２４のたとえば、戻り管２４−２の一部が含まれる。循環路２４は戻り管２４−２および往き管２４−１を備え、浴槽４の循環口２６に接続され、浴槽水ＢＷの追焚時の循環や浴槽４への給湯に用いられる。戻り管２４−２には三方弁２８が備えられ、この三方弁２８にドレンタンク側管路２２−１が接続されている。この例では、戻り管２４−２のうち、三方弁２８と循環口２６の間の反対側の管路部および往き管２４−１がドレン流路２２のドレン管路２２−２に用いられている。
【００３５】
制御部１２にはたとえば、コンピュータが用いられ、浴槽水ＢＷの排水制御、ドレンＤの排出制御、浴槽４の給湯制御などを実行する。ドレンＤの排出制御では、排水栓１０の開栓時、ドレンタンク２０からドレン流路２２を通して浴槽４にドレンＤを流し込み、排水中の浴槽水ＢＷとともにドレンＤを排出させる制御が含まれる。
【００３６】
＜ドレン排出処理１＞
【００３７】
図２のＡは、ドレン排出システム２−１のドレン排出の処理手順を示している。この処理手順は、コンピュータによって実行されるドレン排出プログラムの一例であり、ドレン排出方法の一例でもある。
【００３８】
この処理手順には、排水栓１０の開放後（Ｓ１１１）、浴槽水ＢＷの排水監視を行う（Ｓ１１２）。この排水監視では、浴槽４から浴槽水ＢＷの排水の終了を確認する（Ｓ１１３）。排水終了状態になければ（Ｓ１１３のＮＯ）、Ｓ１１２で待機状態となる。
【００３９】
排水終了であれば（Ｓ１１３のＹＥＳ）、ドレンＤの排出を行う（Ｓ１１４）。このドレン排出工程には、三方弁２８を介して浴槽にドレンＤを流し込む工程、これにより、浴槽４外にドレンＤを排出させる工程が含まれる。これによりドレンＤや中和剤が浴槽に付着するのを防止できる。
【００４０】
そして、ドレンＤの排出が完了したかを判定する（Ｓ１１５）。ドレンＤの排出が完了していなければ（Ｓ１１５のＮＯ）、ドレンＤの排出を継続し、Ｓ１１４、Ｓ１１５の処理を続行する。ドレンＤの排出が完了すれば（Ｓ１１５のＹＥＳ）、排水栓１０を閉止し（Ｓ１１６）ドレン排出処理が終了する。なお、排水栓１０は開放状態で終了してもよい。
【００４１】
＜ドレン排出処理２＞
【００４２】
図２のＢは、ドレン排出システム２−１のドレン排出の他の処理手順を示している。この処理手順では、ドレンＤの排出の後、ドレン流路２２の上水洗浄を行う。この処理手順において、Ｓ１２６以外のステップでは図２のＡと同様の処理を実行する。この処理手順では、ドレンＤの排出完了の判定を行い（Ｓ１２５）、そのドレンＤの排出が完了すれば（Ｓ１２５のＹＥＳ）、ドレン流路２２に上水を流し、ドレン流路２２を洗浄する（Ｓ１２６）。
【００４３】
このドレン流路２２の洗浄には、図１に示すドレン流路２２に上水Ｗを流す管路を接続し、この管路に設けた開閉弁を開き、ドレン流路２２に上水Ｗを流す。ドレン流路２２を通流させた洗浄水は浴槽４に流し、開状態に維持されている排水栓１０を通過させて浴槽４外に排出すればよい。
【００４４】
＜ドレン排出処理３＞
【００４５】
図３は、ドレン排出システム２−１のドレン排出の他の処理手順を示している。この処理手順では、ドレンＤの排出の後、ドレン流路２２と共に浴槽４の上水洗浄を行う。この処理手順において、Ｓ１３５までは図２のＡと同様の処理を実行する。この処理手順では、ドレンＤの排出完了の判定を行い（Ｓ１３５）、そのドレンＤの排出が完了すれば（Ｓ１３５のＹＥＳ）、図２のＢのＳ１２６と同様のドレン流路の洗浄を開始する（Ｓ１３６）。洗浄開始後、所定時間または所定量の注水が行われた後、排水栓１０を閉止し（Ｓ１３７）、浴槽４に所定量の上水Ｗを注水する（Ｓ１３８）。
【００４６】
そして、排水栓１０を開栓し、浴槽４の排水口８から排水させる（Ｓ１３９）。上水Ｗの注水によるドレン流路２２の洗浄を終了する（Ｓ１４０）。ドレン流路２２の洗浄には浴槽洗浄も含まれるので、この洗浄を行えば、浴槽４の底面に飛び散っているドレンＤを含む上水Ｗによる浴槽４の洗浄を行うことができる。その後、排水栓１０を閉止し（Ｓ１４１）、ドレン排出処理が終了する。なお、排水栓１０は開放状態で終了してもよい。
【００４７】
この浴槽４の洗浄には、図１に示す循環路２４を通して上水Ｗを浴槽４に給水し、排水栓１０を閉じて上水Ｗを浴槽４に溜め、所定量または所定時間の上水Ｗの給水の後、排水栓１０を開き、残留するドレンＤを浴槽４外に上水Ｗとともに排出させればよい。
【００４８】
＜第一の実施の形態の効果＞
【００４９】
上記第一の実施の形態によれば、次のような効果が得られる。
【００５０】
(1) 浴槽４の自動排水のタイミングにドレンＤの排水タイミングを同期させ、浴槽排水とともにドレンＤを排出でき、ドレンＤの自動排水およびその簡略化を図ることができる。
【００５１】
(2) ドレン排出に用いるドレン流路２２に循環路２４（追焚管路）を共用でき、ドレン排出の管路構成を簡略化できる。たとえば、三方弁２８の図中右側にポンプがあれば、往き管２４−１から浴槽にドレンＤを流すことができる。
【００５２】
(3) ドレン排出のタイミングをドレン排出のみに依存させることなく、ドレン排出処理の制御を簡略化できる。
【００５３】
(4) ドレン排出の後、ドレン流路２２を上水Ｗで洗浄するので、ドレン流路２２の内壁に付着しまたは残留するドレンＤを除去でき、ドレン流路２２を清浄化できる。
【００５４】
(5) ドレン排出の後、浴槽４を上水Ｗで洗浄するので、浴槽４の内壁に付着しまたは残留するドレンＤを除去でき、浴槽４を清浄化できる。
【００５５】
〔第二の実施の形態〕
【００５６】
第一の実施の形態では浴槽水ＢＷの排水終了後、ドレンＤを排水したが、第二の実施の形態では排水中の浴槽水ＢＷにドレンＤを流し込み、浴槽水ＢＷとともに排水する。
【００５７】
＜ドレン排出処理１＞
【００５８】
図４のＡは、ドレン排出システム２−１のドレン排出の処理手順を示している。この処理手順は、コンピュータによって実行されるドレン排出プログラムの一例であり、ドレン排出方法の一例でもある。
【００５９】
この処理手順には、排水栓１０の開放後（Ｓ１５１）、浴槽水ＢＷの排水監視を行う（Ｓ１５２）。この排水監視では、浴槽４から浴槽水ＢＷの排水かを確認する（Ｓ１５３）。排水でなければ（Ｓ１５３のＮＯ）、Ｓ１５２で待機状態となる。
【００６０】
排水であれば（Ｓ１５３のＹＥＳ）、浴槽水ＢＷの排水とともにドレンＤの排出を行う（Ｓ１５４）。
【００６１】
そして、ドレンＤの排出が完了したかを判定する（Ｓ１５５）。ドレンＤの排出が完了していなければ（Ｓ１５５のＮＯ）、ドレンＤの排出を継続し、Ｓ１５４、Ｓ１５５の処理を続行する。浴槽水ＢＷの排水およびドレンＤの排出が完了すれば（Ｓ１５５のＹＥＳ）、排水栓１０を閉止し（Ｓ１５６）ドレン排出処理が終了する。なお、排水栓１０は開放状態で終了してもよい。
【００６２】
このように浴槽水ＢＷの排水とともにドレンＤの排出を行えば、短時間でドレンＤを浴槽水ＢＷで希釈しながら排出できる。
【００６３】
＜ドレン排出処理２＞
【００６４】
図４のＢは、ドレン排出システム２−１のドレン排出の他の処理手順を示している。この処理手順では、ドレンＤの排出の後、ドレン流路２２の上水洗浄を行う。この処理手順において、Ｓ１６６以外のステップでは図４のＡと同様の処理を実行する。この処理手順では、浴槽水ＢＷの排水およびドレンＤの排出完了の判定を行い（Ｓ１６５）、そのドレンＤの排出が完了すれば（Ｓ１６５のＹＥＳ）、ドレン流路２２に上水を流し、ドレン流路２２を洗浄する（Ｓ１６６）。
【００６５】
このドレン流路２２の洗浄には、図１に示すドレン流路２２に上水Ｗを流す管路を接続し、この管路に設けた開閉弁を開き、ドレン流路２２に上水Ｗを流す。ドレン流路２２を通流させた洗浄水は浴槽４に流し、開状態に維持されている排水栓１０を通過させて浴槽４外に排出すればよい。
【００６６】
＜ドレン排出処理３＞
【００６７】
図５は、ドレン排出システム２−１のドレン排出の他の処理手順を示している。この処理手順では、ドレンＤの排出の後、ドレン流路２２とともに浴槽４の上水洗浄を行う。この処理手順において、Ｓ１７５までは図４のＡと同様の処理を実行する。この処理手順では、浴槽水ＢＷの排水およびドレンＤの排出完了の判定を行い（Ｓ１７５）、そのドレンＤの排出が完了すれば（Ｓ１７５のＹＥＳ）、上水Ｗの注水を行い（Ｓ１７６）、図４のＢのＳ１６６と同様のドレン流路２２を洗浄する。洗浄開始後、所定時間または所定量の注水が行われた後、排水栓１０を閉栓し（Ｓ１７７）、上水Ｗの注水を継続し（Ｓ１７８）、浴槽４に所定量の上水Ｗを注水する。
【００６８】
そして、排水栓１０を開栓し、浴槽４の排水口８から排水させ（Ｓ１７９）、排水完了かを判断する（Ｓ１８０）。排水が完了していなければ（Ｓ１８０のＮＯ）、排水を継続する。これにより排水栓１０の閉栓（Ｓ１７７）後、開栓（Ｓ１７８）までに浴槽４に上水Ｗが溜められ、この上水Ｗの排水で浴槽４が洗浄される。排水が完了していれば（Ｓ１８０のＹＥＳ）、排水栓１０を閉止し（Ｓ１８１）、排水を終了し、ドレン排出処理が終了する。なお、排水栓１０は開放状態で終了してもよい。
【００６９】
この第二の実施の形態においても、浴槽４の洗浄には、図１に示す循環路２４を通して上水Ｗを浴槽４に給水し、排水栓１０を閉じて上水Ｗを浴槽４に溜め、所定量または所定時間の上水Ｗの給水の後、排水栓１０を開き、残留するドレンＤを浴槽４外に上水Ｗとともに排出させればよい。
【００７０】
＜第二の実施の形態の効果＞
【００７１】
第二の実施の形態によれば、次のような効果が得られる。
【００７２】
(1) 第一の実施の形態と同様の効果が得られる。
【００７３】
(2) 第二の実施の形態では、浴槽水ＢＷの排水とともに、ドレンＤの浴槽外排出を行うので、浴槽４のドレン排出後の洗浄を省略してもよい。この洗浄を省略すれば、ドレン排出処理の簡略化、迅速化を図ることができる。
【実施例】
【００７４】
図６は、実施例に係るドレン排出システムを示している。このドレン排出システムは本発明の熱源装置の一例を示している。
【００７５】
このドレン排出システム２−２には熱源装置の一例として給湯・追焚装置３０が備えられる。この給湯・追焚装置３０には給湯部３０−１と追焚部３０−２が備えられる。給湯部３０−１には燃焼室３３−１、追焚部３０−２には燃焼室３３−２が備えられる。
【００７６】
燃焼室３３−１にはバーナ３４−１、燃焼室３３−２にはバーナ３４−２が設置されている。これらバーナ３４−１、バーナ３４−２には共通のガス供給管３６から燃料ガスＧが供給される。このガス供給管３６には元電磁弁３８−１、ガス比例弁３８−２が備えられ、バーナ３４−１側にはガス電磁弁３８−３、３８−４、３８−５が備えられ、バーナ３４−２側にはガス電磁弁３８−６が備えられる。元電磁弁３８−１を開き、ガス比例弁３８−２によって燃料ガスＧの供給量が加減される。ガス電磁弁３８−３〜３８−５はバーナ３４−１の燃焼切替えに用いられ、ガス電磁弁３８−６はバーナ３４−２の燃焼切替えに用いられる。燃焼室３３−１には給気ファン４０−１により燃焼用空気が供給され、燃焼室３３−２には給気ファン４０−２により燃焼用空気が供給される。
【００７７】
燃焼室３３−１にはバーナ３４−１の燃焼排気ＥＧを上水Ｗに熱交換する給湯側一次熱交換器４２−１、給湯側二次熱交換器４２−２が備えられる。一次熱熱交換器４２−１は上流側の燃焼排気ＥＧと上水Ｗとの熱交換に用いられ、下流側の二次熱交換器４２−２は既述の熱交換器１４の一例であり、一次熱交換器４２−１の熱交換後の燃焼排気ＥＧと上水Ｗとの熱交換に用いられる。つまり、潜熱の熱回収である。燃焼室３３−２にはバーナ３４−２の燃焼排気ＥＧと循環する浴槽水ＢＷとを熱交換する追焚側熱交換器４２−３が備えられる。
【００７８】
二次熱交換器４２−２の入側には給水管４４−１が接続され、給水管４４−１から供給される低温の上水Ｗが二次熱交換器４２−２で加熱される。低温の上水Ｗと、下流側の燃焼排気ＥＧとの熱交換では潜熱の熱交換が行われ、このため多くのドレンＤを生じる。このドレンＤは、二次熱交換器４２−２の下側にあるドレン受け４６で受ける。このドレン受け４６はドレン受け１６（図１）の一例である。
【００７９】
二次熱交換器４２−２の出側には一次熱交換器４２−１が接続され、二次熱交換器４２−２の熱交換後の上水Ｗが一次熱交換器４２−１で上流側の燃焼排気ＥＧと熱交換される。
【００８０】
給水管４４−１には温度センサ４８−１、流量センサ５０−１が備えられ、出湯管４４−２には給湯制御弁５２−１、温度センサ４８−２、４８−３が備えられる。給水管４４−１と熱交換器４２−１の出側の出湯管４４−２との間にはバイパス管４４−３が接続され、バイパス弁５２−２が備えられる。温度センサ４８−１は給水温度を検出し、流量センサ５０−１は給水量を検出する。温度センサ４８−２は熱交換器４２−１の出側温度を検出する。給湯制御弁５２−１は給湯量の調整に用いられる。温度センサ４８−３は、熱交換器４２−１の温水ＨＷにバイパス管４４−３からの上水Ｗが混合された温水ＨＷの温度を検出する。
【００８１】
ドレン受け４６で受けたドレンＤはドレン流路５４−１により中和器５６に導かれて中和され、この中和器５６からドレン流路５４−２によりドレンタンク５８に導かれ、蓄積される。ドレンタンク５８にはレベルセンサ５０−３が備えられ、ドレンタンク５８内のドレンレベルが検出される。ドレンタンク５８のドレンＤはドレンＤの排出時、ドレン流路５４−３に導かれる。
【００８２】
ドレン流路５４−３は、ドレンタンク側管路５４−３１と追焚側ドレン管路５４−３２とが含まれる。ドレンタンク側管路５４−３１には逆止弁５２−３が備えられ、追焚側ドレン管路５４−３２には追焚部３０−２の循環路４４−４の往き管４４−４１と戻り管４４−４２の一部が用いられ、戻り管４４−４２とドレンタンク側管路５４−３１の間には三方弁５２−４が備えられる。
【００８３】
循環路４４−４は浴槽６０の循環口６１に接続され、戻り管４４−４２側には循環ポンプ６２、流水スイッチ５０−５、既述の三方弁５２−４、水位センサ５０−４、温度センサ４８−４および開閉弁５２−５が備えられ、往き管４４−４１側には温度センサ４８−５が備えられている。
【００８４】
給湯部３０−１の出湯管４４−２と、循環路４４との間には注湯管４４−５が備えられる。この注湯管４４−５はドレン流路５４−３に上水Ｗとして温水ＨＷを流す上水路の一例である。このドレン流路５４−３には循環ポンプ６２が備えられる。
【００８５】
浴槽４の排水口６４には排水栓５２−８が備えられる。排水栓５２−８の開栓時、浴槽水ＢＷおよび排出すべきドレンＤが防水パン６６に排出される。
【００８６】
＜ドレン排出システム２−２の制御系統＞
【００８７】
図７は、ドレン排出システム２−２の制御系統の一例を示している。この制御系統７０には給湯・追焚制御部７２とリモコン装置７４のリモコン制御部８４が含まれる。このリモコン装置７４はたとえば、浴室に設置される浴室リモコン装置であり、台所に設置される台所リモコン装置であってもよいし、双方であってもよい。給湯・追焚制御部７２およびリモコン制御部７６はコンピュータを備え、有線または無線の通信機能を備える。
【００８８】
給湯・追焚制御部７２にはプロセッサ７６−１、メモリ部７８−１、入出力部（Ｉ／Ｏ）８０−１、シテテム通信部８２−１が備えられる。プロセッサ７６−１はメモリ部７８−１にあるプログラムを実行し、浴槽水ＢＷの排水制御、ドレン排出制御などの各種の制御や情報処理を行う。メモリ部７８−１にはＲＯＭ（Read-Only Memory）やＲＡＭ（Random-Access Memory）が含まれ、既述のプログラムや制御情報が格納される。このメモリ部７８にはハードディスクや半導体メモリを用いることができ、ＲＯＭにはたとえば、不揮発性メモリが使用される。
【００８９】
Ｉ／Ｏ８０−１には給湯・追焚装置３０に含まれるセンサの他、各種の機能部が接続される。図７では一例として、レベルセンサ５０−３、水位センサ５０−４、給湯制御弁５２−１、バイパス弁５２−２、三方弁５２−４、排水栓５２−８、循環ポンプ６２が示されている。Ｉ／Ｏ８０−１にはレベルセンサ５０−３から検出ドレンレベル、水位センサ５０−４から検出浴槽水レベルが取り込まれる。浴槽水ＢＷの排水時、Ｉ／Ｏ８０−１から開栓制御信号が排水栓５２−８に出力される。ドレンＤの排出時、Ｉ／Ｏ８０−１から循環ポンプ６２に駆動出力、三方弁５２−４に制御出力が出力される。また、ドレンＤの排出におけるたとえば、ドレン流路５４−３の追焚側ドレン管路５４−３２の洗浄時、注湯電磁弁５２−６に開栓制御出力が出力される。
【００９０】
システム通信部８２−１は、リモコン装置７４側のシステム通信部８２−２と通信ケーブル８６により接続され、給湯・追焚制御７２とリモコン制御部８４との制御情報の授受を行う。
【００９１】
リモコン制御部８４にはプロセッサ７６−２、メモリ部７８−２、Ｉ／Ｏ８０−２、シテテム通信部８４−２が備えられる。プロセッサ７６−２はメモリ部７８−２にあるプログラムを実行し、浴槽水ＢＷの排水制御、ドレン排出制御などの各種の情報の授受や、表示制御などを行う。メモリ部７８−２にはＲＯＭやＲＡＭが含まれ、既述のプログラムや制御情報が格納される。このメモリ部７８−２にはハードディスクや半導体メモリを用いることができ、ＲＯＭにはたとえば、不揮発性メモリを使用すれはよい。
【００９２】
Ｉ／Ｏ８０−２にはリモコン装置７４側の各種の機能部が接続される。図７では一例として、排水スイッチ８８、表示部９０、自動モードスイッチ９２が示されている。浴槽４の排水時、排水スイッチ８８を操作すれば、排水指令がＩ／Ｏ８０−２に取り込まれる。表示部９０には浴槽６０の水位、給湯・追焚装置３０の制御状態、制御入力などが表示される。自動モードスイッチ９２は、自動給湯などの起動または停止に用いられる。
【００９３】
システム通信部８２−２は、通信ケーブル８６によりシステム通信部８２−１と接続され、給湯・追焚制御部７２側との制御情報の授受や表示情報の受信を行う。
【００９４】
＜ドレン排出処理＞
【００９５】
図８は、ドレン排出処理の処理手順を示している。この処理手順は、この処理手順は、コンピュータによって実行されるドレン排出プログラムの一例であり、ドレン排出方法の一例でもある。
【００９６】
この処理手順では、給湯・追焚装置３０の動作中、排水動作に伴い排水栓５２−８の開栓が行われると（Ｓ２１１）、浴槽６０の排水監視を行う（Ｓ２１２）。この排水監視では浴槽６０の排水を判定し（Ｓ２１３）、この判定には水位センサ５０−４の検出水位から浴槽水位の変化を判定すればよい。
【００９７】
浴槽水ＢＷの排水終了であれば（Ｓ２１３のＹＥＳ）、ドレンレベルが基準排出レベルＬｒｅｆ以上であるかを判定する（Ｓ２１４）。
【００９８】
ドレンレベルが基準排出レベルＬｒｅｆ以上であれば（Ｓ２１４のＹＥＳ）、三方弁５２−４のドレン流路ポートを開弁し（Ｓ２１５）、ドレン流路５４−３ドレンタンク側管路５４−３１を戻り管４４−４２に開通させる。
【００９９】
循環ポンプ６２を駆動する（Ｓ２１６）。これより、ドレンＤがドレン流路５４−３から浴槽６０に流れ、防水パン６６に排出される。
【０１００】
このドレンＤの排出中にドレンレベルが基準排出レベルＬｒｅｆ以上であるかを判定する（Ｓ２１７）。ドレンレベルが基準排出レベルＬｒｅｆ以上であれば、循環ポンプ６２の駆動を継続し、ドレン排出を維持する。
【０１０１】
このドレンＤの排出中、ドレンレベルが基準排出レベルＬｒｅｆ未満になければ（Ｓ２１７のＮＯ）、循環ポンプ６２の駆動を停止し（Ｓ２１８）、ドレン排出を終了する。
【０１０２】
三方弁５２−４のドレン流路ポートを閉弁し（Ｓ２１９）、ドレン流路５４−３のドレンタンク側管路５４−３１と戻り管４４−４２の開通を解除する。
【０１０３】
そして、洗浄注水を開始する（Ｓ２２０）。この洗浄注水は、開閉弁５２−５を閉止した状態で注湯電磁弁５２−６を開弁させ、上水Ｗを給水管４４−１、バイパス管４４−３、出湯管４４−２および注湯管４４−５より戻り管４４−４２に流すことにより行う。これにより、循環路４４−４に上水Ｗを循環させ、追焚側ドレン管路５４−３２を洗浄することができる。
【０１０４】
そして、追焚側ドレン管路５４−３２に残ったドレンを洗浄可能な量もしくは時間、上水Ｗを流したら（Ｓ２２１）、排水栓１０の閉止を行う（Ｓ２２２）。これにより、ドレン排出時に循環口６１から浴槽６０の底面に飛び散ったドレンＤの洗浄が行える。注水は継続しているため、浴槽６０の底面に上水Ｗが溜まり、浴槽６０の洗浄が行える。
【０１０５】
浴槽６０の底面に飛び散ったと思われるドレンを洗浄可能な量もしくは時間、上水Ｗを溜めると（Ｓ２２３）、排水栓１０を開放し（Ｓ２２４）、注湯電磁弁５２−６を閉弁させ、上水Ｗの注水を停止する（Ｓ２２５）。
【０１０６】
その後、浴槽６０の底面などに残った上水Ｗの排出が終わる時期に（Ｓ２２６）、排水栓１０を閉止し（Ｓ２２７）、一連の処理を終了する。尚、Ｓ２２６、Ｓ２２７を行わず、排水栓１０が開放状態で終了してもよい。
【０１０７】
＜実施例の効果＞
【０１０８】
上記実施例によれば、次の効果が得られる。
【０１０９】
(1) 浴槽排水時、排水栓５２−８の開栓を確認してドレン排出を行い、浴槽排水に連動させて自動化できる。
【０１１０】
(2) ドレン排出後、ドレン排出に用いたドレン流路中、循環路４４−４を上水洗浄するので、ドレン付着などのドレン汚染を防止できる。
【０１１１】
(3) 上水洗浄では排水栓５２−８を閉弁して浴槽６０に上水Ｗを溜めた後、再度浴槽排水を行うので、浴槽６０を清浄化できる。
【０１１２】
(4) 排水栓５２−８を備える浴槽６０を用いてドレン排出を自動化でき、ドレン排出流路の配管を簡略化でき、メンテナンスの容易化を図ることができる。
【０１１３】
〔他の実施の形態〕
【０１１４】
ａ）上記実施の形態や実施例では、ドレンＤの排出先として浴槽を例示しているが、排水栓を備える容器などの浴槽以外であってもよい。
【０１１５】
ｂ）上記実施の形態では循環路中ドレン流路に往き管２４−１を用いているが、戻り管２４−２を用いてもよい。
【０１１６】
以上説明したように、本発明の技術の最も好ましい実施の形態等について説明した。本発明は、上記記載に限定されるものではない。特許請求の範囲に記載され、または発明を実施するための形態に開示された発明の要旨に基づき、当業者において様々な変形や変更が可能であることは勿論である。斯かる変形や変更が、本発明の範囲に含まれることは言うまでもない。
【産業上の利用可能性】
【０１１７】
この発明によれば、自動的に開弁させる排水栓を備える浴槽を用いた場合、浴槽排水時に浴槽水の排水とともにドレンを排出させることができ、ドレン排出の自動化で利便性の高いドレン排出システムを実現でき、有益である。
【符号の説明】
【０１１８】
２−１、２−２  ドレン排出システム
４  浴槽
６  熱源機
８  排水口
１０  排水栓
１２  制御部
１４  熱交換器
１６  ドレン受け
１８  ドレンパイプ
２０  ドレンタンク
２２  ドレン流路
２２−１  ドレンタンク側管路
２２−２  ドレン流路
２４  循環路
２４−１  往き管
２４−２  戻り管
２６  循環口
２８  三方弁
３０  給湯・追焚装置
３２−１  給湯部
３２−２  追焚部
３３−１  燃焼室
３３−２  燃焼室
３４−１  給湯用バーナ
３４−２  追焚用バーナ
３６  ガス供給管
３８−１  元電磁弁
３８−２  ガス比例弁
３８−３、３８−４、３８−５、３８−６  ガス電磁弁
４０−１、４０−２  給気ファン
４２−１  給湯用一次熱交換器
４２−２  給湯用二次熱交換器
４２−３  追焚用熱交換器
４４−１  給水管
４４−２  出湯管
４４−３  バイパス管
４４−４  追焚循環路
４４−４１  往き管
４４−４２  戻り管
４６  ドレン受け
４８−１、４８−２、４８−３、４８−４、４８−５  温度センサ
５０−１、５０−２  流量センサ
５０−３  レベルセンサ
５０−４  水位センサ
５０−５  流水スイッチ
５２−１  給湯制御弁
５２−２  バイパス弁
５２−３  逆止弁
５２−４  三方弁
５２−５  開閉弁
５２−６  注湯電磁弁
５２−７  逆止弁
５４−１、５４−２、５４−３  ドレン流路
５４−３１  ドレンタンク側管路
５４−３２  追焚側ドレン管路
５６  中和器
５８  ドレンタンク
６０  浴槽
６１  循環口
６２  循環ポンプ
６４  排水口
６６  防水パン
７０  制御系統
７２  給湯・追焚制御部
７４  リモコン装置
７６  リモコン制御部
７６−１、７６−２  プロセッサ
７８−１、７８−２  メモリ部
８０−１、８０−２  Ｉ／０
８２−１、８２−２  システム通信部
８６  通信ケーブル
８８  浴槽排水スイッチ
９０  表示部
９２  自動モードスイッチ
【図１】
0006013542.tif 000002
【図２】
0006013542.tif 000003
【図３】
0006013542.tif 000004
【図４】
0006013542.tif 000005
【図５】
0006013542.tif 000006
【図６】
0006013542.tif 000007
【図７】
0006013542.tif 000008
【図８】
0006013542.tif 000009